(57)【要約】【課題】遠近感が効果的に強調された画像を表示させることができる画像処理装置及び画像処理プログラムを提供する。【解決手段】画像処理装置は、所定の位置に対する画像領域の姿勢を検出する検出部と、画像領域中に定められた部分領域を変形させるための変形比を姿勢に応じて算出する算出部と、部分領域の変形比に応じて、部分領域を変形させる処理部と、を備える。算出部は、所定の位置から画像領域を観察した際、画像領域により定まる消失点の位置と部分領域により定まる消失点の位置が異なるように、部分領域の変形比を算出してもよい。【選択図】図１
2014115810.tif 000002
【特許請求の範囲】
【請求項１】
所定の位置に対する画像領域の姿勢を検出する検出部と、
前記画像領域中に定められた部分領域を変形させるための変形比を前記姿勢に応じて算出する算出部と、
前記部分領域の変形比に応じて、前記部分領域を変形させる処理部と、
を備えることを特徴とする画像処理装置。
【請求項２】
前記算出部は、前記所定の位置から前記画像領域を観察した際、前記画像領域により定まる消失点の位置と前記部分領域により定まる消失点の位置が異なるように、前記部分領域の変形比を算出することを特徴とする請求項１に記載の画像処理装置。
【請求項３】
前記算出部は、前記部分領域により定まる消失点の位置が前記画像領域により定まる消失点の位置よりも前記部分領域に近くなるように、前記部分領域の変形比を算出することを特徴とする請求項２に記載の画像処理装置。
【請求項４】
前記画像領域及び前記部分領域は矩形であることを特徴とする請求項１から請求項３のいずれか一項に記載の画像処理装置。
【請求項５】
前記検出部は、複数の前記画像領域の姿勢をそれぞれ検出し、
前記算出部は、複数の前記部分領域の変形比を、それぞれの前記画像領域の姿勢に応じて算出することを特徴とする請求項１から請求項４のいずれか一項に記載の画像処理装置。
【請求項６】
前記検出部は、多面体を構成する前記複数の画像領域について、前記姿勢をそれぞれ定めることを特徴とする請求項５に記載の画像処理装置。
【請求項７】
前記検出部は、観察者の位置に対する前記姿勢を検出し、
前記算出部は、前記観察者の位置に対する前記姿勢に応じて、前記部分領域の変形比を算出することを特徴とする請求項１から請求項６のいずれか一項に記載の画像処理装置。
【請求項８】
前記算出部は、コンピュータグラフィックスが表示された前記部分領域の変形比を算出することを特徴とする請求項１から請求項７のいずれか一項に記載の画像処理装置。
【請求項９】
コンピュータに、
部分領域が定められた画像領域について、所定の位置に対する当該画像領域の姿勢を検出する手順と、
前記部分領域を変形させるための変形比を前記姿勢に応じて算出する手順と、
前記部分領域の変形比に応じて、前記部分領域を変形させる手順と、
を実行させるための画像処理プログラム。
【発明の詳細な説明】
【技術分野】
【０００１】
本発明は、画像処理装置及び画像処理プログラムに関する。
【背景技術】
【０００２】
誇張された遠近感を補正する撮像装置（画像処理装置）が、特許文献１に開示されている（特許文献１参照）。
【先行技術文献】
【特許文献】
【０００３】
【特許文献１】特開２００６‐１２８９９５号公報
【発明の概要】
【発明が解決しようとする課題】
【０００４】
しかしながら、従来の画像処理装置では、遠近感が効果的に強調された画像が表示されていなかった。
【０００５】
本発明は、前記の点に鑑みてなされたものであり、遠近感が効果的に強調された画像を表示させることができる画像処理装置及び画像処理プログラムを提供することを目的とする。
【課題を解決するための手段】
【０００６】
本発明の一態様は、所定の位置に対する画像領域の姿勢を検出する検出部と、前記画像領域中に定められた部分領域を変形させるための変形比を前記姿勢に応じて算出する算出部と、前記部分領域の変形比に応じて、前記部分領域を変形させる処理部と、を備えることを特徴とする画像処理装置である。
【０００７】
本発明の一態様は、コンピュータに、部分領域が定められた画像領域について、所定の位置に対する当該画像領域の姿勢を検出する手順と、前記部分領域を変形させるための変形比を前記姿勢に応じて算出する手順と、前記部分領域の変形比に応じて、前記部分領域を変形させる手順と、を実行させるための画像処理プログラムである。
【発明の効果】
【０００８】
本発明によれば、画像処理装置及び画像処理プログラムは、遠近感が効果的に強調された画像を表示させることができる。
【図面の簡単な説明】
【０００９】
【図１】本発明の第１実施形態における、画像処理装置の構成例を示すブロック図である。
【図２】本発明の第１実施形態における、表示画面及び画像領域の姿勢の第１例を示す図である。
【図３】本発明の第１実施形態における、部分領域の例を示す図である。
【図４】本発明の第１実施形態における、対象物の表示の第１例を示す図である。
【図５】本発明の第１実施形態における、表示画面及び画像領域の姿勢の第２例を示す図である。
【図６】本発明の第１実施形態における、変形された部分領域の例を示す図である。
【図７】本発明の第１実施形態における、対象物の表示の第２例を示す図である。
【図８】本発明の第１実施形態における、対象物の表示の第３例を示す図である。
【図９】本発明の第１実施形態における、画像処理装置の動作手順例を示すフローチャートである。
【図１０】本発明の第２実施形態における、画像処理装置及び検出装置の構成例を示すブロック図である。
【図１１】本発明の第２実施形態における、表示画面及び画像領域の姿勢の第３例を示す図である。
【図１２】本発明の第２実施形態における、対象物の表示の第４例を示す図である。
【発明を実施するための形態】
【００１０】
［第１実施形態］
本発明の第１実施形態について図面を参照して詳細に説明する。画像処理装置は、部分領域が定められた画像領域の姿勢を検出する。また、画像処理装置は、部分領域を変形させるための変形比を当該画像領域の姿勢に応じて算出する。また、画像処理装置は、部分領域の変形比に応じて、部分領域を変形させる。これにより、画像処理装置及び画像処理プログラムは、遠近感が強調された画像を表示させることができる。
【００１１】
まず、画像処理装置の構成例について説明する。
図１には、画像処理装置の構成例が、ブロック図により示されている。画像処理装置１０ａは、記憶部１１と、検出部１２ａと、算出部１３と、処理部１４と、表示部１５とを備える。
【００１２】
記憶部１１は、部分領域が定められた画像領域データを記憶する。この部分領域には、遠近感が強調される対象物（例えば、写真や広告など）の画像が、コンピュータグラフィックスにより表示されていてもよい。また、記憶部１１は、多面体（例えば、立方体、六角柱）を構成する複数の画像領域データを記憶してもよい。
【００１３】
検出部１２ａは、部分領域が定められた画像領域の姿勢を定める。ここで、画像領域の姿勢とは、表示部１５の表示画面に表示された画像領域の仮想的な姿勢である。また、検出部１２ａは、多面体を構成する複数の画像領域の姿勢を、それぞれ検出してもよい。また、検出部１２ａは、表示部１５の表示画面に対する画像領域の姿勢を検出する。これにより、検出部１２ａは、表示部１５の表示画面を観る観察者の位置に対する、画像領域の姿勢を定めることになる。
【００１４】
画像領域の姿勢は、予め定められた角度範囲における、角度の割合により表現されてもよい。例えば、予め定められた角度範囲が９０［度］であれば、４５［度］の方向を向いた画像領域の姿勢は、割合（ｒａｔｅ）０．５（＝４５／９０）と表現される。検出部１２ａは、画像領域の姿勢を示す信号を、算出部１３に出力する。
【００１５】
算出部１３は、部分領域を変形させるための変形比を画像領域の姿勢に応じて算出する。例えば、算出部１３は、表示画面に表示された画像領域について、当該画像領域により定まる遠近法の消失点（不図示）よりも部分領域により定まる遠近法の消失点（不図示）のほうが当該部分領域に近づくように、当該部分領域の変形比を算出する。部分領域の変形比については、図６を用いて後述する。算出部１３は、部分領域の変形比を示す信号を、処理部１４に出力する。
【００１６】
処理部１４は、部分領域が定められた画像領域に対して所定の画像処理を実行し、画像処理を施した画像を示す信号を、表示部１５に出力する。ここで、所定の画像処理とは、例えば、画像領域に表示される画像を、画像領域の変形比を示す信号に基づいて変形させる処理である。また、前記所定の画像処理とは、例えば、部分領域に表示される対象物の画像を、部分領域の変形比を示す信号に基づいて変形させる処理でもよい。
【００１７】
表示部１５は、表示画面を有する。表示部１５は、対象物の画像を含む部分領域が定められた画像領域を、画像処理が施された画像を示す信号に基づいて、表示画面に表示する。表示された画像領域の例については、図４、７、８及び１２を用いて後述する。
【００１８】
次に、部分領域及び画像領域の例について説明する。以下、観察者は、ｘｙｚ座標の原点から、表示画面を観ているものとする。
図２には、表示画面及び画像領域の姿勢の第１例が示されている。図２では、観察者は、表示画面２００に正対している。また、図２では、部分領域１１０ａが定められた画像領域１００が、表示画面２００に対して正対する姿勢に観察者から観えるように、表示画面２００に表示されている。ここで、画像領域１００が、表示画面２００に正対する方向を向いた姿勢であるため、画像領域１００の姿勢は、角度範囲９０［度］に対して割合（ｒａｔｅ）「０．０」（＝０／９０）と表現される。
【００１９】
なお、部分領域１１０ｂ及び画像領域１００は、表示画面２００に表示される画像であるため、図２には、部分領域１１０ｂ及び画像領域１００の仮想的な姿勢が示されている。
【００２０】
図３には、表示画面及び画像領域の姿勢の第１例（図２を参照）について、部分領域の例が示されている。画像領域１００には、部分領域１１０ａが定められている。部分領域１１０ａは、所定の条件に基づいて定められる。例えば、部分領域１１０ａは、遠近感が強調される対象物の画像が表示されている領域が、画像認識により画像領域から抽出されることで、その抽出された領域に定められてもよい。また、ユーザが部分領域１１０ａを任意に指定できるようにしてもよい。
【００２１】
図３では、部分領域１１０ａ（ｂａｓｅ）は、左上点ｂａｓｅｌｔと、左下点ｂａｓｅｌｂと、右下点ｂａｓｅｒｂと、右上点ｂａｓｅｒｔとにより囲まれる矩形の領域である。以下、左上点ｂａｓｅｌｔ及び左下点ｂａｓｅｌｂの中点を、「ｃｅｎｔｅｒ」と表記する。また、右下点ｂａｓｅｒｂから右上点ｂａｓｅｒｔに向けて延長した仮想的な線が、矩形の画像領域１００と交差する点を、「ｒｔｏｐ」と表記する。また、右上点ｂａｓｅｒｔから右下点ｂａｓｅｒｂに向けて延長した仮想的な線が、矩形の画像領域１００と交差する点を、「ｒｂｏｔｔｏｍ」と表記する。
【００２２】
部分領域１１０ａは、画像領域１００の姿勢に応じて変形され、部分領域１１０ｂとなる。図３では、部分領域１１０ｂは、左上点ｎｏｗｌｔと、左下点ｎｏｗｌｂと、右下点ｎｏｗｒｂと、右上点ｎｏｗｒｔとにより囲まれる矩形の領域である。表示画面及び画像領域の姿勢の第１例（図２を参照）では、画像領域１００の姿勢が割合（ｒａｔｅ）「０．０」であるため、図３では、部分領域１１０ａは、部分領域１１０ｂと一致している。
【００２３】
図４には、表示画面及び画像領域の姿勢の第１例（図２を参照）について、対象物の表示の第１例が示されている。対象物の画像を表示する表示画面２００は、観察者に正対する向きで示されている。表示画面及び画像領域の姿勢の第１例（図２を参照）では、画像領域１００の姿勢が割合（ｒａｔｅ）「０．０」であるため、図４では、対象物、画像領域１００及び部分領域１１０ａは、いずれも変形されていない。なお、画像領域１００を示す枠と、部分領域１１０ａを示す枠とは、表示画面２００に表示されなくてもよい。
【００２４】
図５には、表示画面及び画像領域の姿勢の第２例が示されている。図５では、観察者は、表示画面２００に正対している。また、図５では、部分領域１１０ａが定められた画像領域１００が、表示画面２００に対して角度θ１［度］だけ傾いた姿勢に観察者から観えるように、表示画面２００に表示されている。ここで、画像領域１００の姿勢は、角度範囲９０［度］に対して割合（ｒａｔｅ）「θ１／９０」と表現される。
【００２５】
なお、部分領域１１０ｂ及び画像領域１００は、表示画面２００に表示される画像であるため、図５には、部分領域１１０ｂ及び画像領域１００の仮想的な姿勢が示されている。
【００２６】
図６には、表示画面及び画像領域の姿勢の第２例（図５を参照）について、変形された部分領域の例が示されている。部分領域１１０ａは、画像領域１００の姿勢としての角度θ１［度］（図５を参照）に応じて変形され、部分領域１１０ｂとなる。
【００２７】
左上点ｂａｓｅｒｔ及び左下点ｂａｓｅｒｂが、右上点ｂａｓｅｌｔ及び右下点ｂａｓｅｌｂよりも表示画面２００に近い位置にある場合（図５を参照）、遠近法による消失点（不図示）が左上点ｂａｓｅｌｔ及び左下点ｂａｓｅｌｂに近づくように、部分領域１１０ａは変形される。
【００２８】
具体的には、画像領域１００における部分領域１１０ｂの各頂点の位置は、式（１）〜（４）により示される変形比により、それぞれ算出される。以下、画像領域１００の姿勢、すなわち、角度の割合は、式では、「ｒａｔｅ」と表記する。
【００２９】
ｎｏｗｒｔ＝ｒｔｏｐ× (１．０−ｒａｔｅ) ＋ｂａｓｅｒｔ×ｒａｔｅ      …（１）
ｎｏｗｒｂ＝ｒｂｏｔｔｏｍ× (１．０−ｒａｔｅ) ＋ｂａｓｅｒｂ×ｒａｔｅ…（２）
【００３０】
ｎｏｗｌｔ＝ｃｅｎｔｅｒ× (１．０−ｒａｔｅ) ＋ｂａｓｅｌｔ×ｒａｔｅ  …（３）
ｎｏｗｌｂ＝ｃｅｎｔｅｒ× (１．０−ｒａｔｅ) ＋ｂａｓｅｌｂ×ｒａｔｅ  …（４）
【００３１】
一方、右上点ｂａｓｅｒｔ及び右下点ｂａｓｅｒｂが、左上点ｂａｓｅｌｔ及び左下点ｂａｓｅｌｂよりも観察者に遠い位置にある場合（不図示）、遠近法による消失点（不図示）が右上点ｂａｓｅｒｔ及び右下点ｂａｓｅｒｂに近づくように、部分領域１１０ａは変形される。具体的には、式（１）〜（４）は、辺ｎｏｗｒｔ−ｎｏｗｒｂと、辺ｎｏｗｌｔ−ｎｏｗｌｂとが反転するように、対称性に基づいて入れ替えられる。
【００３２】
図７には、表示画面及び画像領域の姿勢の第２例（図５を参照）について、対象物の表示の第２例が示されている。対象物の画像を表示する表示画面２００は、観察者に正対する向きで示されている。
【００３３】
図７では、画像領域１００と、式（１）〜（４）に示す変形比に基づいて変形（台形化）された部分領域１１０ｂとが、さらに、遠近法による変形比に基づいて変形（台形化）されて表示画面２００に表示されている。また、表示画面２００に表示された画像領域１００の消失点の位置（不図示）と部分領域１１０ｂの消失点の位置（不図示）とは異なっており、部分領域１１０ｂの消失点の位置が画像領域１００の消失点の位置よりも部分領域１１０ｂに近くなっている。画像領域１００と部分領域１１０ｂの表示がこのような関係となるように部分領域１１０ｂが変形されていることで、画像の遠近感を効果的に強調することができる。なお、画像領域１００を示す枠と、部分領域１１０ａを示す枠と、部分領域１１０ｂを示す枠とは、表示画面２００に表示されなくてもよい。
【００３４】
図８には、対象物の表示の第３例が示されている。対象物の画像を表示する表示画面２００は、観察者に正対する向きで示されている。検出部１２ａ（図１を参照）は、多面体（例えば、立方体）を構成する複数の画像領域１００−ｎ（符号ｎは、１以上の整数）の姿勢を、それぞれ検出してもよい。また、処理部１４（図１を参照）は、部分領域１１０ａ−ｎが定められた複数の画像領域１００−ｎに対して、所定の画像処理をそれぞれ実行し、画像処理を施した画像を示す信号を、表示部１５に出力してもよい。ここで、多面体を構成する複数の画像領域１００−ｎには、その画像領域１００−ｎに投影された対象物の画像が、表示されてもよい。
【００３５】
図８では、立方体を構成する複数の画像領域１００−ｎのうち、画像領域１００−１及び画像領域１００−２が、表示画面２００に表示されている。また、画像領域１００−１の部分領域１１０ｂ−１には、対象物の正面の画像が表示され、画像領域１００−２の部分領域１１０ｂ−２には、対象物の側面の画像が表示されている。
【００３６】
次に、画像処理装置の動作手順の例を説明する。
図９は、画像処理装置の動作手順例を示すフローチャートである。
（ステップＳ１）検出部１２ａは、部分領域１１０ａが定められた画像領域１００の姿勢を検出る。
（ステップＳ２）算出部１３は、部分領域１００ａを変形させるための変形比を、画像領域１００の姿勢に応じて算出する。
【００３７】
（ステップＳ３）算出部１３は、部分領域１１０ａを変形させるための変形比に応じて、部分領域１１０ａを部分領域１１０ｂに変形させる。また、算出部１３は、遠近法による部分領域１１０ｂの変形比に応じて、部分領域１１０ｂを変形させる。また、算出部１３は、遠近法による画像領域１００の変形比に応じて、画像領域１００のうち部分領域１１０ｂを除く領域を変形させる。
【００３８】
以上のように、画像処理装置１０ａ（図１を参照）は、部分領域１１０ａが定められた画像領域１００（例えば、図６を参照）の姿勢（例えば、図５に示す角度θ１）を検出する検出部１２ａと、部分領域１１０ａを変形させるための変形比を前記姿勢に応じて算出する算出部１３と、部分領域１１０ａの変形比に応じて、部分領域１１０ａを変形させる処理部１４と、を備える。
【００３９】
また、画像処理プログラムは、コンピュータに、部分領域１１０ａが定められた画像領域１００の姿勢を検出する手順と、部分領域１１０ａを変形させるための変形比を前記姿勢に応じて算出する手順と、部分領域１１０ａの変形比に応じて、部分領域１１０ａを変形させる手順と、を実行させる。
【００４０】
この構成により、算出部１３（図１を参照）は、部分領域１１０ａを変形させるための変形比を前記姿勢に応じて算出する。これにより、画像処理装置１０ａは、遠近感が効果的に強調された画像を表示させることができる。より具体的には、画像処理装置１０ａは、部分領域１１０ａが部分領域１１０ｂまで変形（台形化）された対象物の画像を、表示部１５（図１を参照）に表示させることができる。表示部１５に表示された対象物の画像において、部分領域１１０ｂのほうが、画像領域１００よりも変形されて（パースをかけられて）見えるので、画像処理装置１０ａは、遠近感がより効果的に強調された画像を表示させることができる。
【００４１】
また、算出部１３は、表示部１５に表示された対象物の画像において、部分領域１１０ｂにより定まる消失点の位置が画像領域１００により定まる消失点の位置よりも部分領域１１０ｂに近づくように、部分領域１１０ａの変形比を算出する。
また、検出部１２は、複数の画像領域１００−ｎ（図８を参照）の姿勢をそれぞれ検出し、算出部１３は、複数の部分領域１１０ａの変形比を、それぞれの前記姿勢に応じて算出する。
【００４２】
また、検出部１２は、多面体を構成する複数の画像領域１００−ｎについて、画像領域１００−ｎの姿勢をそれぞれ検出する。
また、算出部１３は、コンピュータグラフィックス（例えば、対象物の画像）が表示された部分領域１１０ａの変形比を算出する。
【００４３】
［第２実施形態］
第２実施形態では、画像領域の位置が固定される代わりに、その固定された画像領域を観察する観察者のほうが移動する点が、第１実施形態と相違する。以下では、第１実施形態との相違点についてのみ説明する。
【００４４】
図１０には、画像処理装置及び検出装置の構成例が、ブロック図により示されている。検出装置２０は、表示画面２００に対する観察者の位置を検出する。検出装置２０は、観観察者の位置（目線）を検出し、観察者の位置を示す信号を、画像処理装置１０ｂに出力する。検出装置２０は、例えば、撮像装置であり、観察者が撮像された画像に基づいて、観察者の位置を検出する。
【００４５】
画像処理装置１０ｂは、記憶部１１と、検出部１２ｂと、算出部１３と、処理部１４と、表示部１５とを備える。検出部１２ｂは、図１に示す検出部１２ａに相当する。検出部１２ｂには、観察者の位置を示す信号が、検出装置２０から入力される。検出部１２ｂは、部分領域が定められた画像領域の姿勢を、観察者の位置を示す信号に基づいて検出する。
【００４６】
図１１には、表示画面及び画像領域の姿勢の第３例が示されている。図１１では、観察者は、表示画面２００に正対していない。一方、部分領域１１０ａが定められた画像領域１００は、表示画面２００に対して正対する姿勢に観察者から観えるように、表示画面２００に表示されている。図１１では、表示画面２００が、観察者に対して角度θ２［度］だけ傾いているので、結果として、画像領域１００は、観察者に対して角度θ２［度］だけ傾いた姿勢に観察者から観える。ここで、画像領域１００の姿勢は、角度範囲９０［度］に対して割合（ｒａｔｅ）「θ２／９０」と表現される。
【００４７】
なお、部分領域１１０ｂ及び画像領域１００は、表示画面２００に表示される画像であるため、図１１には、部分領域１１０ｂ及び画像領域１００の仮想的な姿勢が示されている。
【００４８】
検出部１２ｂ（図１０を参照）は、部分領域１１０ａが定められた画像領域１００の姿勢を、観察者の位置を示す信号に基づいて定める。図１１では、部分領域１１０ａに表示されていた対象物の画像は、割合（ｒａｔｅ）「θ２／９０」に応じて、式（１）〜（４）に示す変形比に基づいて、部分領域１１０ｂまで変形（台形化）される。
【００４９】
図１２には、表示画面及び画像領域の姿勢の第３例（図１１を参照）について、対象物の表示の第４例が示されている。対象物の画像を表示する表示画面２００は、観察者に対して角度θ２［度］だけ傾いた姿勢で示されている。
【００５０】
図１２では、部分領域１１０ａに表示されていた対象物の画像は、割合（ｒａｔｅ）「θ２／９０」に応じて、式（１）〜（４）に示す変形比に基づいて、部分領域１１０ｂまで変形（台形化）されている。なお、画像領域１００を示す枠と、部分領域１１０ａを示す枠と、部分領域１１０ｂを示す枠とは、表示画面２００に表示されなくてもよい。
【００５１】
以上のように、検出部１２（図１０を参照）は、検出装置２０（図１０を参照）が検出した観察者の位置（例えば、図１１におけるｘｙｚ座標の原点）に対する前記姿勢（例えば、図１１に示す角度θ２）を検出し、算出部１３（図１０を参照）は、前記観察者の位置に対する前記姿勢に応じて、部分領域１１０ａの変形比を算出する。
【００５２】
この構成により、算出部１３は、前記観察者の位置に対する前記姿勢に応じて、部分領域１１０ａの変形比を算出する。これにより、画像処理装置１０ｂは、前記観察者の位置に対する前記姿勢に応じて、遠近感が効果的に強調された画像を表示させることができる。例えば、画像処理装置１０ｂは、画像を表示している表示部１５を観察する観察者の目線を検出する検出装置２０（センサ装置）から、検出した目線を示す信号を受信し、その目線に対する表示部１５の姿勢（例えば、図１１に示す角度θ２）に応じて、部分領域１１０ａを変形させてもよい。
【００５３】
以上、この発明の実施形態について図面を参照して詳述してきたが、具体的な構成はこの実施形態に限られるものではなく、この発明の要旨を逸脱しない範囲の設計等も含まれる。
【００５４】
例えば、上記第１及び第２実施形態では、１つの画像領域に対して１つの部分領域を定めている例について説明したが、これに限られず、１つの画像領域に対して複数の部分領域を定めるようにしてもよい。この場合、それぞれの部分領域同士の面積は異なっていてもよく、それぞれの部分領域において上述の式（１）〜（４）により変形比をもとめればよい。
【００５５】
なお、上記に説明した画像処理装置を実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【００５６】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバーやクライアントとなるコンピュータシステム内部の揮発性メモリーのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【符号の説明】
【００５７】
１０ａ…画像処理装置  １０ｂ…画像処理装置  １１…記憶部  １２ａ…検出部  １２ｂ…検出部  １３…算出部  １４…処理部  １５…表示部  ２０…検出装置  １００…画像領域  １１０ａ…部分領域  １１０ｂ…部分領域  ２００…表示画面
【図１】
2014115810.tif 000003
【図２】
2014115810.tif 000004
【図３】
2014115810.tif 000005
【図５】
2014115810.tif 000006
【図６】
2014115810.tif 000007
【図９】
2014115810.tif 000008
【図１０】
2014115810.tif 000009
【図１１】
2014115810.tif 000010
【図４】
2014115810.tif 000011
【図７】
2014115810.tif 000012
【図８】
2014115810.tif 000013
【図１２】
2014115810.tif 000014